(57)【要約】     【課題】  旋回流を用いて洗浄する便器構造において洗浄水がボウル後方まで有効的に流れる便器構造を提供することを目的とする。    【解決手段】旋回流Ｑを用いてボウル３４を洗浄する便器３１の構造で、便器本体３２はスカート部３３とボウル３４とリム部３５とで形成される。旋回流Ｑは便器本体３２のボウル後方の一方の隅部Ｓ１から洗浄水を噴射放出することで凹状溝４０内に旋回流Ｑが生じる。ボウル後方の他方の隅部Ｓ２の位置Ｔ１からボウル後方の中央部Ｓ３に亘る領域では凹状溝４０の底面４０ａが漸減するので流速が遅くなった旋回流Ｑ２は落下をはじめる。このとき、旋回流Ｑ２をボウル後方の中央部Ｓ３まで保持して旋回流Ｑ３として導くために位置Ｔ１を始点として位置Ｔ２まで突起４３が形成される。突起４３はボウル面３４と一体的に略水平に形成され、垂直断面視で突起４３の上面４３ａは幅Ｆで略水平に形成される。  【選択図】図１
2009150160.tif 000002
【特許請求の範囲】
【請求項１】
旋回流を用いてボウルを洗浄する便器構造であって、前記旋回流用の凹状溝が便器本体のボウルの上端部全周に亘って環状に形成され、この凹状溝はボウルに連続して形成される底面と奥面と前記ボウルの上端部を塞ぐリム部を天面として形成され、
ボウル後方の一方の隅部から凹状溝に放出された旋回流をボウル後方の中央部まで導く突起が、ボウル後方の他方の隅部にボウル面と一体的に略水平に形成されることを特徴とする便器構造。
【請求項２】
請求項１記載の便器構造であって、前記突起は垂直断面視で上面が略水平に形成されることを特徴とする便器構造。
【発明の詳細な説明】
【技術分野】
【０００１】
本発明は、旋回流を用いて洗浄する便器構造に関し、ボウル面の洗浄効果を向上させる技術に関する。
【背景技術】
【０００２】
従来、ボウル面の洗浄効果を向上させる便器構造の技術として特許文献１の方法が知られている。
【０００３】
特許文献１によれば、図４に示すように、水洗便器のボウル面１の洗浄水１０を吐出する吐出口１１が、ボウル面略上端部の曲率半径の小さな部分Ｋから曲率半径の大きな部分１３に変化する部分に設けられ、洗浄水１０を曲率半径の大きな部分１３に向けて吐出される。
【０００４】
ここで、給水口７には図示しない洗浄水貯留部分が設置されており、給水口７と吐出口１１は管路２２で連通しているので、ボウル面１の洗浄時には洗浄水貯留部分から吐出口１１に向かって洗浄水１０が流れる。このとき、洗浄水１０を曲率半径の大きな部分１３に向けて吐出されるので、洗浄水１０の吐出方向が曲率半径の小さな部分１２に向けられる場合に比べて、洗浄水１０をより強い水勢、または、より高い瞬間流量で使用することができる。
【特許文献１】特開２０００−２６５５２５号公報
【発明の開示】
【発明が解決しようとする課題】
【０００５】
ところが、より強い水勢の旋回流であってもボウル後方Ｍまで旋回流を導くのは困難で、弱まった旋回洗浄水がボウル後方Ｍに至るまでにボウル面１を流れ落ちるという問題があった。
【０００６】
そこで、本発明は、上記問題点に鑑みて、旋回流を用いて洗浄する便器構造において洗浄水をボウル後方まで有効的に流せる便器構造を提供することを目的とする。
【課題を解決するための手段】
【０００７】
請求項１の発明は、旋回流を用いてボウルを洗浄する便器構造であって、前記旋回流用の凹状溝が便器本体のボウルの上端部全周に亘って環状に形成され、この凹状溝はボウルに連続して形成される底面と奥面と前記ボウルの上端部を塞ぐリム部を天面として形成され、ボウル後方の一方の隅部から凹状溝に放出された旋回流をボウル後方の中央部まで導く突起が、ボウル後方の他方の隅部にボウル面と一体的に略水平に形成されることを特徴としている。
【０００８】
請求項２の発明は、請求項１記載の便器構造であって、前記突起は垂直断面視で上面が略水平に形成されることを特徴としている。
【発明の効果】
【０００９】
請求項１の発明によれば、ボウル後方の他方の隅部に突起がボウル面と一体的に略水平に形成されるので、ボウル後方の一方の隅部から凹状溝に放出された旋回流がボウル後方の他方の隅部近くで流れ落ちる直前に突起によってボウル後方の中央部まで導くことができるので、ボウル後方の洗浄効果と衛生性を向上することができる。
【００１０】
請求項２の発明によれば、前記突起は垂直断面視で上面が略水平に形成されるので、旋回流を上面に保持して旋回流がボウルに流れ落ちるのを遅らせてボウル後方の中央部まで導くことができるので、請求項１の発明の効果と同様の効果をさらに確実に得ることができる。
【発明を実施するための最良の形態】
【００１１】
＜本発明の実施形態＞
以下に、本発明の実施形態を図１〜図３に基づいて説明する。
【００１２】
＜便器構造の構成＞  
図１、図２、図３に示すように、本発明の実施形態における便器構造は旋回流Ｑを用いてボウル３４を洗浄する便器３１の構造である。なお、便器３１の便器本体３２はスカート部３３とボウル３４とリム部３５とで形成され、ヒンジ式の便座３６と便蓋３７を備える。
【００１３】
旋回流Ｑ用の凹状溝４０はボウル３４の上端部３４ａ全周に亘って環状に形成され、凹状溝４０はボウル３４に連続して形成される底面４０ａと奥面４０ｂとボウル３４の上端部３４ａを塞ぐリム部３５の下側面を天面４０ｃとして形成される。
【００１４】
そして、旋回流Ｑは便器本体３２のボウル２４後方の一方の隅部Ｓ１から凹状溝４０の内部に図示しないノズルで洗浄水を噴射放出することで凹状溝４０内に旋回流Ｑが生じる。旋回流Ｑは旋回しながらボウル３４に沿って旋回流Ｑ１としてボウル面を落下して洗浄しながら排出口４１に流れる。
【００１５】
ここで、凹状溝４０はボウル３４の上端部３４ａに沿って環状に形成されるが、他方の隅部Ｓ２からボウル後方の中央部Ｓ３に亘ってはボウル３４の傾斜曲面が立ち上がるように形成されるので底面４０ａも漸減して形成される。このため、流速が遅くなった旋回流Ｑ２は容易にボウル３４に沿って落下する傾向がある。
【００１６】
その旋回流Ｑ２をボウル後方の中央部Ｓ３まで導くためにボウル後方の他方の隅部Ｓ２に、位置Ｔ１を始点として位置Ｔ２まで突起４３が形成される。
【００１７】
突起４３はボウル３４と一体的に全体として略水平に形成され、さらに、垂直断面視で突起４３の上面４３ａは位置Ｔ１と位置Ｔ２の近傍を除いて幅Ｆで略水平に形成される。位置Ｔ１と位置Ｔ２の近傍は流線状にボウル３４面から立上るように形成される。より詳しくは、位置Ｔ１は流速が遅くなった旋回流Ｑ２が落下する直前で保持できる位置に設定され、位置Ｔ２は突起４３から落下する旋回流Ｑ３がボウル後方の中央部Ｓ３を覆って洗浄できるように設定される。
【００１８】
便器本体３２のスカート部３３と、突起４３が一体形成されるボウル３４と、リム部３５とは樹脂や陶器等でそれぞれを別部品として加工した後に組立てられる。
＜便器構造の作用＞
【００１９】
上記のように、位置Ｔ１から位置Ｔ２まで突起４３が形成され、位置Ｔ１は流速が遅くなった旋回流Ｑ２が落下する前に保持できる位置に設定され、位置Ｔ２は突起４３からの落下する旋回流Ｑ３がボウル後方の中央部Ｓ３を洗浄できるように設定される。このため、旋回流Ｑ３は旋回しながらボウル後方の中央部Ｓ３を洗浄して排出口４１に流れるので、ボウル３４全域の洗浄ができるので清掃作業が軽減され衛生性も向上する。
【００２０】
垂直断面視で突起４３の上面４３ａは幅Ｆで略水平に形成されるので、流速が遅くなった旋回流Ｑ２をボウル後方の中央部Ｓ３まで充分に落下しないように保持できるので中央部Ｓ３の洗浄性が向上する。
【００２１】
以上、本発明の実施例を図面に基づいて説明したが、具体的な構成はこの実施例に限られるものではなく本発明の要旨を逸脱しない範囲の設計変更等があっても本発明に含まれる。
【００２２】
例えば、便器本体３２のスカート部３３と、突起４３が一体形成されるボウル３４と、リム部３５とは樹脂や陶器で一体形成しても構わない。
【００２３】
環状の凹状溝４０の内部に複数のノズルを配置する洗浄水の噴射方法を用いた場合でも本発明の実施例と同様の効果が得られる。
【図面の簡単な説明】
【００２４】
【図１】本発明の実施形態における便器構造における、旋回流Ｑを用いてボウル３４を洗浄する便器３１の斜視図である。
【図２】本発明の実施形態における便器構造の、便器本体３２の平面図である。
【図３】本発明の実施形態における便器構造の、図２におけるＡ−Ａ断面図である。
【図４】従来の便器構造の平面図である。
【符号の説明】
【００２５】
３１  便器
３２  便器本体
３３  スカート部
３４  ボウル
３５  リム部
３６  便座
３７  便蓋
４０  凹状溝
４０ａ  底面
４３  突起
４３ａ  上面
Ｓ１  一方の隅部
Ｓ２  他方の隅部
Ｓ３  中央部
Ｔ１  位置
Ｔ２  位置
Ｑ  旋回流
Ｑ２  旋回流
Ｑ３  旋回流
Ｆ  幅
【図１】
2009150160.tif 000003
【図２】
2009150160.tif 000004
【図３】
2009150160.tif 000005
【図４】
2009150160.tif 000006